(57)【要約】【課題】本発明により、柔軟な薄い紙・布・フィルムあるいは粘着テープなどの切断具に装備するための、切刃に指などが絶対に触れないという意味で絶対安全かつ構造簡易な切断機構部分を提供することが可能となり、幼児や高齢者など予想外の使い方をする可能性のある家庭環境だけでなく、医療現場など汚染物や汚濁物を薄手の防護手袋で扱う作業環境においても安心して使える切断具を実現することができるようになった。【解決手段】切刃を二つの障壁面が成す隅角部に設置することにより、指などが絶対触れないようにしたこと、切刃に被切断物を押し付ける挿入子の概念を導入することにより隅角部に置かれた切刃が切断具としての機能が果たせるようになった。【選択図】図１
2008238345.tif 000002
【特許請求の範囲】
【請求項１】
柔軟な薄ものを対象とする切断具の切断機構部であって、切刃１の一方の側には挿入子２が挿入できるだけの間隔を有する位置に切刃１と平行な平面状の、または切刃１の側に傾斜した平面状もしくは曲面状の奥障壁面３が配置され、切刃１の他方の側には切刃１に近接して前障壁面４が配置されること、および切刃１の刃先が前障壁面４と面一になるように、もしくは切刃1の刃先が前障壁面4を含む平面と奥障壁面3とで形成される隅角部に突き出すように配置され、かつ挿入子２の前縁の稜線部分の形状が一方の端において急勾配でその後勾配を緩めながら他端に至るような形状であることもしくは一定の勾配を持った形状であること、さらに前障壁面４もしくは前障壁面アーム部１１と共に被切断物を挟み込んで保持するための保持子５と挿入子２とが一体に、回転自在にもしくは摺動自在に結合されていることを特徴とする切断機構部。
【請求項２】
柔軟な薄ものを対象とする切断具の切断機構部であって、切刃１の一方の側には挿入子２が挿入できるだけの間隔を有する位置に切刃１の側に傾斜した平面状もしくは曲面状の奥障壁面３が配置され、切刃１の他方の側は切刃１に近接して前障壁面４が
配置されること、および切刃１の刃先が前障壁面４を含む平面と奥障壁面３とで形成される隅角部に突き出すように配置され、かつ隅角部に突き出された切刃１の刃先の部分の形状が一方の端において急勾配でその後勾配を緩めながら他端に至るような形状もしくは一定の勾配を持った形状、もしくはＶ字型、逆Ｖ字型もしくは鋸刃状の形状であること、さらに被切断物を保持するための保持子５と挿入子２の前縁とが切刃１を挿入できるだけの間隔をあけて一体に形成されていることを特徴とする切断機構部。
【発明の詳細な説明】
【技術分野】
【０００１】
本発明は柔軟な薄い紙や布、フィルム、アルミホイールあるいは粘着テープなどの切断具に関する。
【背景技術】
【０００２】
消費者の保護をより充実するため製造物責任（ＰＬ）についての意識は近年益々高まってきている。今までは消費者の不注意として処理されてきたような事でも、製造者は製造物に絶対の安全を求められるようになってきている。粘着テープ、ラップフィルムあるいはアルミホイールなど家庭で使用するカッターの殆どは、ＰＬ意識の高まり以前からも安全性に配慮して刃付けをしていない鋸刃状の薄板鋼板やプラスティック等（以下「非鋭利刃」という）が切刃として採用されてきており、今後もこれらの観点に根ざした安全確保がより重要な位置を占めるものと思われる。しかし、被切断物が非鋭利刃上を滑って円滑な切断ができなかったことを多くの人が経験しているように、安全と切断性能との両立が課題となっている。この課題を解消するために、鋭利な刃の使用を可能にするための安全策が数多く提案がされている。
【０００３】
鋭利な刃の使用を可能にするための提案には、常時は鋭利な切刃を手の触れないところに格納しておき、切断時のみ露出させる方式のもの（例えば特許文献１、特許文献２、特許文献３、特許文献４、特許文献５、特許文献６）や、鋭利な切刃を指などが不用意に接触しない場所に置く方式のもの（例えば特許文献７、特許文献８、特許文献９、特許文献１０、特許文献１１、特許文献１２、特許文献１３、特許文献１４）などがある。
【０００４】
切断時のみ鋭利な切刃を露出させる方式のものとしては、切断時にはレバーやボタンを押し下げるか（特許文献１、特許文献２、特許文献３）、あるいはテープを押し当てることにより格納されていた切刃が露出し切断するような方法（特許文献４、特許文献５、特許文献６）が提案されている。しかし、これらには切断時以外に幼児などが不用意にレバーを押し下げたり、テープを押し当てるべきところに指を押し当てたり、などする危険性が残っている。
【０００５】
一方、鋭利な切刃に指などが不用意に接触しないような場所に置く方式のもの（特許文献７、特許文献８、特許文献９、特許文献１０、特許文献１１、特許文献１２、特許文献１３、特許文献１４）は、基本的に安全であるといえるが、特許文献７、特許文献８および特許文献９は確実に切刃が安全な場所に置かれているとは言い難い。対して、特許文献１０、特許文献１１、特許文献１２および特許文献１３は切刃が溝状の凹部に収められているので、寸法さえ吟味すれば安全性は確保できるものである。しかし、凹部に収めるために構造が複雑となったり、切刃などの損耗が懸念されたりするなどの課題を残している。特許文献１４は切刃を含む切断機構部全体が筐体に収められており安全ではあるが、動力駆動の切断装置であり簡易な切断具に装備される切断機能部分として採用するには無理がある。
【０００６】
特許文献１０は同特許文献中の図５あるいは図８に示されるように粘着テープを固定曲面凸部４の溝９を跨いで粘着保持し、切刃７が溝９に入り込むように押さえ付けることによって藁などの「押し切り」の要領で裁断するものである（以後これを「押し切り型」という）。切刃７は固定曲面凸部４に対応する可動テープカッティング部１に設けられた凹部３の中に収められており、指が入らない程度に凹部を狭くすることによって安全は確保できる。しかし、凹部を狭くすることによる切断性能とコストの問題など確認すべき課題も無いとは言えない。
【０００７】
特許文献１１はラップフィルムなどの切断具である。切断の仕方としては特許文献１０と同様、「押し切り型」の切断具である。特許文献１０は粘着テープを切断対象としているので、被切断物である粘着テープを同文献の固定曲面凸部４の溝９を跨いで粘着保持し、切刃７に押し付けることができる。対して、特許文献１３は粘着性のないラップフィルムを切断対象としているので、刃８の両側に設けたクッション９と凸１２とでラップフィルムを挟んで保持して刃８に押し付けて切断するようになっている。刃８は蓋２に掘られた溝状の凹部に設けられており、溝の幅や深さを配慮することにより指などの触れるおそれをなくし安全が確保できる。しかし、刃８が納められている溝状の凹部内に被切断物を保持するためのクッション９を配置しなければならず構造が複雑で製造コストの面で問題がある。
【０００８】
特許文献１２は、電線被覆絶縁テープの繰出具にカッターを設けたものである。刃部４と刃受け部５とで絶縁テープを押圧して切断するものである。刃部４を「包丁」、刃受け部５を「まな板」に例えることができる（以後これを「まな板・包丁型」という）。刃部４は溝状の凹部の底に置かれており指などが触れるおそれはなく安全が確保されている。ただし、切断後は刃部４と刃受け部５とが直接押圧されるので刃部４あるいは刃受け部５の損耗が懸念される。
【０００９】
特許文献１３はロール状に巻き取られた包帯などのテープカッターである。切断の仕方としては特許文献１２と同様であり、同文献の刃受け部５をローラに置き換えたものといえ、「まな板・包丁型」の切断具といえる。切刃であるブレード7は凹条溝５の底部に置かれており、溝の幅や深さを配慮することにより指などが触れるおそれをなくし安全が確保できる。ただし、これもブレード7とローラ１０とで包帯を押し切るので切断後はブレードとローラとが直接押圧されるので、ブレードあるいはローラの損耗が懸念される。
【００１０】
特許文献１４は  プリンターや記録装置などに使用されている用紙（シート）の切断装置である。切断の仕方は、用紙（シート）供給側の通紙窓33の下側フレームに固定された固定刃18に逆Ｖ字型に窪んだ刃先を有する可動刃２０を駆動装置で摺動させ、鋏やペーパーカッターのように紙を裁断するものである。固定刃１８と可動刃２０は切断装置の筐体の中に収められているので通紙窓から指が入らない限りは安全であるが、駆動装置などを有する大掛かりな装置となる。
【００１１】
つまり比較的簡易で安全な切断具として提供されているものは、切刃を溝状の凹所に収められたものであり、その切断方式は上述のように「押し切り型」や「まな板・包丁型」となっている。
【００１２】
切刃が溝状の凹所に設けられた「押し切り型」の切断具は図１９に示すように、押し切りの腕のように二股になった凸部で被切断物を保持して刃に押し付けるようになっている。被切断物が粘着テープであれば二股の凸部に粘着保持されるので構造は比較的簡易になるが、そうでない場合は被切断物を保持するための構造が複雑となり、溝を広くしなければならない。溝幅が広い分、安全のために切刃をより深く設置する必要が生じ、製造コストの増加要因となる。
【００１３】
切刃が溝状の凹所に設けられた「まな板・包丁型」の切断具は、図２０に示すように、まな板に相当するローラや刃受け部で被切断物を溝の中の切刃に押圧する。安全のために溝幅を細くすると、それに応じてローラや刃受け部も細くする必要があり、切断のたびに切刃とローラや刃受け部の毎回同じところが押圧されるようになる。そのため切刃やローラなどのいずれかまたは双方に損傷・欠落などが生じやすいという弱点がさらに増幅される。
【００１４】
通常市販されている粘着テープカッターの殆どは紙の切りたいところに定規などを当てて縁からはみ出した部分を摘んで引き裂いたり、引きちぎったりする方法を応用したもの（以後「引き裂き・引きちぎり型」という）で、定規の縁に替えて非鋭利な刃を使用している。一方、安全性を無視して切断性能を追求したものも多数提案されている。それらの殆どは、「引き裂き・引きちぎり型」の切刃を非鋭利刃ではなく、鋭利な刃とすることによって切断性能を向上させたものであり（例えば特許文献６、特許文献１５、特許文献１６、特許文献１７、特許文献１８）、何れも切刃の部分が剥き出しになっているか、あるいは誤操作で切刃が剥き出しになる構造である。「引き裂き型・引きちぎり型」では切刃に指が当たらないように切刃の近傍に障壁を設けると、切断そのものができなくなるので安全障壁を施したものはまだ提案されていない。
【００１５】
【特許文献１】実開平７−００２３５４
【特許文献２】特開２００４−２１７３６９
【特許文献３】特開平９−１８３５５６
【特許文献４】実開平３−１２０３９４
【特許文献５】特許３６０９８１５号
【特許文献６】特開平９−２０８１１４
【特許文献７】実開平７−９７０
【特許文献８】実開昭５１−６８７８９
【特許文献９】実開昭６３−２１６３３
【特許文献１０】特許３０８４３７１号
【特許文献１１】特開平５−３０９５９２
【特許文献１２】特開昭６２−１９１３６９
【特許文献１３】特開平９−７７３４２
【特許文献１４】特開平１１−４２５８９
【特許文献１５】特開２００３−２３１０８４
【特許文献１６】特開２００１−１０６４２１
【特許文献１７】実開平６−７３０２７
【特許文献１８】特開平９−２２７０１６
【発明の開示】
【発明が解決しようとする課題】
【００１６】
本発明の課題は、柔軟な薄い紙・布・フィルムあるいは粘着テープなどを切断対象とする切断具に装備するための、切刃に指などが絶対に触れないという意味で絶対安全な、かつ構造の簡易な切断機構部分を提供することである。
【課題を解決するための手段】
【００１７】
本発明は、二つの障壁面が形成する隅角部に切刃を配置することによって上記課題を解決したものである。これは被切断物を切刃に押し付ける役目をする挿入子の概念を導入することによって可能となった。さらに、挿入子の前縁形状を紙に定規を当てて紙の端を摘んで引き裂く時の紙の形状を模した形状とすることによって、被切断物が切刃の一点で接し、そこに応力が集中することになり、裂け目の起点を容易に生じさせることが可能となった。このような挿入子の前縁形状も課題を解決するための重要な要素である。また、挿入子を挿入する時に被切断物が弛んでいると力が掛からないので、被切断物を適当な力で引っ張れるようにするための保持子は切断機構部分の不可欠な要素である。従来のものは、安全のために切刃を溝状の凹所内に置いていたので、保持子も溝状の凹所内に収める必要があり、切断機構部分の構造が複雑になっていた。本発明では被切断物を前障壁面もしくは前障壁面アーム部と保持子とで挟み込む簡易な構造となっている。これは、安全のために「切刃を二つの障壁面の隅角部に置く」という、従来になかった発想から派生した成果である。
【００１８】
請求項１は、柔軟な薄ものを対象とする切断具の切断機構部であって、切刃１の一方の側には挿入子２が挿入できるだけの間隔を有する位置に切刃１と平行な平面状の、または切刃１の側に傾斜した平面状もしくは曲面状の奥障壁面３が配置され、切刃１の他方の側には切刃１に近接して前障壁面４が配置されること、および切刃１の刃先が前障壁面４と面一になるように、もしくは切刃1の刃先が前障壁面4を含む平面と奥障壁面3とで形成される隅角部に突き出すように配置され、かつ挿入子２の前縁の稜線部分の形状が一方の端において急勾配でその後勾配を緩めながら他端に至るような形状であることもしくは一定の勾配を持った形状であること、さらに前障壁面４もしくは前障壁面アーム部１１と共に被切断物を挟み込んで保持するための保持子５と挿入子２とが一体に、回転自在にもしくは摺動自在に結合されていることを特徴とする切断機構部である。
【００１９】
請求項２は、柔軟な薄ものを対象とする切断具の切断機構部であって、切刃１の一方の側には挿入子２が挿入できるだけの間隔を有する位置に切刃１の側に傾斜した平面状もしくは曲面状の奥障壁面３が配置され、切刃１の他方の側は切刃１に近接して前障壁面４が配置されること、および切刃１の刃先が前障壁面４を含む平面と奥障壁面３とで形成される隅角部に突き出すように配置され、かつ隅角部に突き出された切刃１の刃先の部分の形状が一方の端において急勾配でその後勾配を緩めながら他端に至るような形状もしくは一定の勾配を持った形状、もしくはＶ字型、逆Ｖ字型もしくは鋸刃状の形状であること、さらに被切断物を保持するための保持子５と挿入子２の前縁とが切刃１を挿入できるだけの間隔をあけて一体に形成されることを特徴とする切断機構部である。
【発明の効果】
【００２０】
本発明により、柔軟な薄い紙・布・フィルムあるいは粘着テープなどの切断具に装備するための、切刃に指などが絶対に触れないという意味で絶対安全かつ構造簡易な切断機構部分を提供することが可能となり、幼児や高齢者など予想外の使い方をする可能性のある家庭環境だけでなく、医療現場など汚染物や汚濁物を薄手の防護手袋で扱う作業環境においても安心して使える切断具を実現することができるようになった。
【発明を実施するための最良の形態】
【００２１】
図１は請求項１の切断機構部分の構成要素の基本的な配置を示す代表図である。図の右下部は前障壁面４と保持子５とで被切断物を挟み込んだ状態で、被切断物の他端を引張って奥障壁面にあてがいながら挿入子を挿入し、丁度被切断物が切刃に接している状態を示す説明図である。円内は指などが切刃１に接するのを障壁面３、４が防いでいることを示す説明図である。図１は奥障壁面３が切刃１と平行な平面状で、切刃１の刃先が前障壁面４と面一に配置され、挿入子2の前縁の稜線が一方の端において急勾配でその後勾配を緩めて他端に至っている例を示している。図２は請求項２に関わる切断機構部を採用した切断具の例を示しており、奥障壁面３が切刃１を覆うような曲面状で、切刃１の刃先が前障壁面４を含む平面と奥障壁面３とで形成される隅角部に突き出すように配置された例を示している。この図では見難いが、隅角部に突き出た切刃1の刃先には一定の勾配を持たせてある。
【００２２】
切刃１と障壁面３、４との具体的な寸法関係あるいは奥障壁面の傾斜の程度は、その安全対象として幼児のように小さな指を想定するのか、毒劇物防護の薄い手袋を想定するのか、皮膚の表皮に傷が付く程度は許容されるのかなど、要求される安全仕様に則って決めることができる。図３から図１４までは、請求項１の切断機構を有する切断具の実施例である。切刃１を前障壁面４より沈めると切断性が極端に失われるので面一ないし製造誤差を見込んで両障壁面が作る隅角部に突出すようにする。奥障壁面３を切刃１に近づけると安全であるが、挿入子２を挿入するための寸法によって制約を受ける。特に厳しい安全仕様が要求される場合は、例えば図３、図４や図５の挿入子回転軸１６や切刃ブロック回転軸１２を保持子５や前障壁面アーム部１１の先端に近づけて図６のようにすることによって、奥障壁面３が切刃1をより深く覆えるようになり安全性を高めることができる。図８、図９および図１０のように保持子５に支点１５を設けるタイプのものでは、支点１５を挿入子側に近づけることによって、挿入子２の回転の曲率半径を小さくでき奥障壁面３が切刃1をより深く覆うことができる。図１１のように挿入子２と保持子５が摺動自在に結合されている場合では、図１２のように挿入子２が摺動する角度を伏せることによって、切刃１を奥障壁面３がより深く覆うことができ安全性を増すことができる。図１３は保持子５と挿入子２とを切刃1に平行な面で回転自在に結合したものであるが、やはり挿入子２の回転する面を伏せることによって、切刃1を奥障壁面3がより深く覆うことができるようになり、安全性を高めることができる。
【００２３】
図１５、１６、１７、および１８は請求項２の切断機構部を有する切断具の実施例である。切刃１の刃先が前障壁面４を含む平面と奥障壁面３とで形成される隅角部に突き出し、突き出された刃先の部分の形状が一方の端において急勾配でその後勾配を緩めながら他端に至るような形状であることもしくは一定の勾配を持った形状またはＶ字型、逆Ｖ字型もしくは鋸刃状の形状になることが請求項２の特徴である。請求項１の場合と同様、特に厳しい安全仕様が要求される場合は、図１５や図１７に図１６のような切刃ブロック回転軸１２を設け、それをなるべく切刃１寄りに設けることにより奥障壁面３で切刃１を深く覆うことができるようにすることができる。図１８についても図１０と同様の方法で対応することができる。なお、切刃１の左右の両側端部にも障壁を設けるか、または図１、２で示すように切刃１の両側端部を障壁面３、４の充分内側になるようにすることによって切刃１の左右の側端部の安全対策とすることができる。
【００２４】
奥障壁面３は平滑な平面である必要はなく、障壁面に指が没入・貫入しなければ凹凸があっても、格子状であっても、防護柵のようなものであってもよい。前障壁面４も同様であるが、前障壁面は指を切刃１に近づけさせないためにある程度の奥行きが必要である。また、前障壁面４には保持子５とともに被切断物を挟んで保持する機能を担っている。図４、図５および図６のように切刃ブロック回転軸１２を設ける場合には、切刃ブロック回転軸１２の回転を支えるために前障壁面アーム部１１を伸ばして保持子５上に足場を確保できるようにすることも必要があるが、そうすることによって、前障壁面４に代わって前障壁面アーム部１１が保持子５とともに被切断物を挿入子２の挿入前に挟み込んで保持することができる。粘着性のテープが被切断物である場合は、保持子５に粘着し保持されるので挟み込む必要はない。
【００２５】
挿入子２は切刃１に被切断物を押し付けて切断するためのものである。挿入子２の前縁の稜線と切刃１の刃先の稜線とは平行ではなく幾らかの勾配をつけることによって、被切断物を切刃１に一点で接触させて応力を集中し、容易に切断の起点を作ることができるようになる。前縁の一方の端の勾配が急勾配であれば、そこで切断の起点をつくることができるので後は他端に向かって勾配を緩めても亀裂は伝播する。充分な勾配を持たせることができるならば、全体に一定の勾配を持たせてもよい。請求項２では挿入子２にではなく切刃１に同様の形状を持たせている。図からは読み取りづらいが、図2では切刃1の先端に一定の勾配を持たせた形状としている。なお、挿入子は図１、図２に例示されているような板状である必要はなく、上述のような前縁形状を有しておれば棒状のものであっても所期の効果は達せられる。また、直な棒状の挿入子であっても、図１３の実施例１１のように挿入子２の一端を回転軸にして、切刃１と平行な面で回転させて奥障壁面３と切刃１との間に跳ね上げつるべを落とし込むように挿入すると、回転軸が切刃より低い場合は挿入子２は切刃の一端で急勾配で交わり、その後他端に至るまで勾配を緩めながら交わるので勾配を付けたのと同じ効果が得られる。
【００２６】
保持子５は定規を当てて紙を引き裂くときに、紙が動かないように机などに押し付ける定規の腹に相当するものである。請求項1の切断機構部の基本的な操作は、「まず、被切断物を前障壁面４又は前障壁面アーム部１１と保持子５で挟み込む、次に被切断物の他端を引っ張って適度の張力を与えながら挿入子２を切刃１と奥障壁面３との間に挿入する」という手順になる。したがって、切刃ブロック回転軸を設けないタイプの切断機構部では、保持子と挿入子を互いに回転自在あるいは摺動自在に結合しておけば、これらの操作をシーケンシャルに行うことが容易になる。また、保持子５は平面である必要はなく、図５のようなフォーク状でも、図８、図９あるいは図１０のように曲面や中折れの平面でもよい。粘着テープを切断対象とする請求項２の切断機構部分は、粘着テープを保持子と挿入子に橋渡すように粘着させるだけでよい。この場合、保持子の被切断物に当たる面と挿入子の前縁とが面一に形成されることが望ましい。
【実施例１】
【００２７】
図３は、請求項１の切断機構部が非粘着性のテープやリボンなど（以下この段落で「テープ」と総称する）の切断具に採り入れられた実施例1である。これは奥障壁面３が切刃１の側に傾斜した曲面で、切刃１の刃先は前障壁面４と面一で、挿入子２の前縁の勾配が一方の端において急勾配でその後勾配を緩めながら他端に至る形状で、かつ保持子５と挿入子２が回転自在に結合されているタイプの切断機構部である。この例の切断具本体３５はテープロール３１に廻動自在に取り付けられ、その切断機構部は切刃１、挿入子２、奥障壁面３、前障壁面４および保持子５で構成されている。挿入子２は挿入子回転軸１６を介して保持子５に、保持子５は保持子回転軸１４を介して切断具本体３５に回転自在に結合されている。前障壁面４、切刃１および奥障壁面３は切断具本体３５と一体に形成されている。これを最初に使用するときには、テープ３０を保持子回転軸１４の下を通して必要な長さ繰り出す。テープ３０を所要の長さだけ繰り出し、挿入子２を押さえ込む。挿入子回転軸１６には図示していない発条があり、この発条は保持子回転軸１４内の収められている発条（図示せず）よりも剛性が大きいので、指などで挿入子２を押さえ込むと保持子５が前障壁４に当たるまで回転し、テープ３０を押さえて保持する。テープ３０に適度の張力を掛けながら更に挿入子２を押し続けると、挿入子回転軸１６が回転しテープ３０は挿入子２で切刃１に押し付けられて切断される。挿入子２の前縁１３の稜線の形状はＡ−Ａ矢視示すように図の奥の方の勾配が急で手前に来るにしたがって勾配が緩くなるような形状をしているので、テープは奥の方から順次一点で切刃１に接触し、切断の起点となる亀裂が伝播して切断される。挿入子２の挿入子回転軸１６廻りの回転半径を小さくすれば、奥障壁面３が切刃１を覆う度合いを大きくすることができる。
【実施例２】
【００２８】
図４は請求項１の切断機構部が非粘着性または粘着性のテープやリボンなど（以下この段落で「テープ」と総称する）の切断具に採り入れられた実施例２である。これは奥障壁面３が切刃１の側に傾斜した平面で、切刃１の刃先は前障壁面４と面一で、挿入子の前縁が一定の勾配を持った形状で、かつ挿入子２と一体に形成された保持子５と前障壁面アーム部１１とで被切断物を挟み込むタイプの切断機構部である。この例の切断具本体３５はテープロール３１の円周上に廻動自在に取り付けられており、その切断機構部は切刃１、奥障壁面３および前障壁面４からなる切刃ブロック６、挿入子２、保持子５および前障壁面アーム部１１で構成されている。切刃ブロック６が切刃ブロック回転軸１２を介して前障壁面アーム部１１に、前障壁面アーム部１１は前障壁回転軸１７を介して切断具本体３５に回転自在に結合されている。挿入子２と保持子５は切断具本体３５と一体に形成されている。切刃ブロック回転軸１２および前障壁回転軸１７には図示していない発条が入っており、切刃ブロック回転軸１２の発条の方が前障壁回転軸１７の発条よりも強くしてあるので、非粘着性のテープの場合は、テープ切断のため切刃ブロック６を保持子５の方に押していくと図４で示すように先ず前障壁回転軸１７が回転し、前障壁面アーム部１１が保持子５に当たりテープを保持する。次に切刃ブロック６が挿入子２に向けて回転して、挿入子２が切刃１と奥障壁３の間にテープ３０を挿入して切断する。粘着テープの場合は、テープロール３１から必要長さ繰り出されたテープは保持子５と挿入子２に橋渡すように粘着保持される。テープ切断のために切刃ブロック６を押していくと前障壁面アーム部１１が保持子５に当たる前に粘着保持されたテープ３０に当たるので、切刃ブロック回転軸１２が回転を始め、挿入子２の最頂部に粘着保持されているテープ３０に切刃１が一点で接し応力集中により切断の起点となる亀裂が生じる。更に切刃ブロック６を押すことにより亀裂が伝播しテープが切断される。この実施例では、操作に便利なように切断具本体に指穴１５が設けられている。その他については実施例１と同様である。
【実施例３】
【００２９】
図５は請求項１の切断機構部が非粘着性または粘着性のテープやリボンなどの切断具に採り入れられた実施例３である。これは奥障壁面３が切刃１の側に傾斜した平面で、切刃１の刃先は前障壁面４と面一で、挿入子２の前縁が一定の勾配を持った形状で、かつ挿入子２と一体に形成された保持子５と前障壁面アーム部１１とで被切断物を挟み込むタイプの切断機構部である。この例の切断具はテープロールに取り付けられるものではなく、既に繰り出されたテープやリボンなどの途中から切断するための切断具を想定したものであり、その切断機構部は切刃１、奥障壁面３および前障壁面４からなる切刃ブロック６、挿入子２、保持子５および前障壁面アーム部１１で構成されている。この切断機構部は実施例２と全く同じタイプの切断機構部で、切断具本体３５および前障壁面４と前障壁面アーム部１１の形状が違う以外は変わらない。本切断具による切断の概念は、人差し指または中指を指穴３２に通しておき、親指で切刃ブロックを押して切断するというものである。繰り出された非粘着性のテープやリボンの切断したい部分を切断具本体３５に開けられた取入れ口３３から取り込み、保持子５と挿入子２に横たえるように載せ、切刃ブロック６を保持子５の方に倒す。以降は図４の実施例２と全く同じ手順であり、粘着テープを対象とするときも実施例２と同様である。
【実施例４】
【００３０】
図６は請求項１の切断機構部が非粘着性または粘着性のテープやリボンなど（以下この段落で「テープ」と総称する）の切断具に採り入れられた実施例４である。これは奥障壁面４が切刃１の側に傾斜した曲面で、切刃１の刃先が前障壁面４と面一で、挿入子２の前縁が一定の勾配を持った形状で、かつ挿入子２と一体に形成された保持子５と前障壁面アーム部１１とで被切断物を挟み込むタイプの切断機構部である。この例の切断具本体３５はテープロール３１の円周上に廻動自在に取り付けられており、その切断機構部は、切刃１、奥障壁面３および前障壁面４からなる切刃ブロック６、挿入子２、保持子５および前障壁面アーム部１１で構成されている。切刃ブロック６は切刃ブロック回転軸１２を介して前障壁面アーム部１１に、前障壁面アーム部１１は前障壁回転軸１７を介して切断具本体３５と回転自在に結合されている。挿入子２と保持子５は切断具本体３５と一体に形成されている。実施例２や実施例３の切刃ブロック回転軸１２を前障壁面アーム部１１の最前端までもっていき、切刃ブロック６の回転半径を極力小さくしたものである。こうすることによって実施例2などより奥障壁面３で切刃１をより深く覆うことができ、安全性を向上させるこができる。
【実施例５】
【００３１】
図７は請求項１の切断機構部が非粘着性のテープやリボンなど（以下この段落で「テープ」と総称する）の切断具に採り入れられた実施例５である。これは奥障壁面３が切刃１の側に傾斜した平面で、切刃１が前障壁面４と面一で、挿入子２の前縁が一定の勾配を持った形状で、かつ挿入子２に回転自在に結合された保持子５と前障壁面４とで被切断物を挟み込むタイプの切断機構部である。この例の切断具本体３５はテープロール３１の円周上に廻動自在に取り付けられており、その切断機構部は、切刃１、奥障壁面３、前障壁面４および前障壁面アーム部１１からなる切刃ブロック６、挿入子２および保持子５で構成されている。切刃ブロック６は前障壁回転軸１７を介して切断具本体３５と結合され、保持子５は保持子回転軸１４を介して挿入子２に結合し、挿入子２は切断具本体３５と一体に形成されている。テープ３０を切断する時は、テープ３０を必要長さ繰り出して保持子５上に載せ切刃ブロック６を保持子５に押し当てて、前障壁面４と保持子５とでテープを挟み込んで保持する。テープに適当な張力をかけながら更に切刃ブロックを保持子５に押し当てる。保持子回転軸１４には図示してない発条があり、保持子５はテープ３０を保持しつつ後退し挿入子２がテープ３０を切刃１に押し付けて切断する構造となっている。
【実施例６】
【００３２】
図８は請求項１の切断機構部が非粘着性のテープやリボンなど（以下この段落で「テープ」と総称する）の切断具に採り入れられた実施例６である。これは奥障壁面３が切刃１の側に傾斜した平面で、切刃１が前障壁面４と面一で、挿入子の前縁が一定の勾配を持った形状で、かつ挿入子２と一体に形成された保持子５と前障壁面４とで被切断物を挟み込むタイプの切断機構部である。この例の切断具本体３５はテープロール３１に廻動自在に取り付けられており、その切断機構部は、切刃１、奥障壁面３、前障壁面４および前障壁面アーム部１１からなる切刃ブロック６、挿入子２および保持子５で構成されている。切刃ブロック６は前障壁回転軸１７を介して切断具本体３５に回転自在かつ摺動自在に結合されており、挿入子２と保持子５は切断具本体３５と一体に形成されている。実施例5の保持子５が挿入子２に回転自在に結合されているのに対して、本例の保持子５は挿入子２と一体に形成され、半円筒を伏せたような形状をしている。切刃ブロック６を回転し倒してくると保持子５の一点に当たり、そこでテープを保持する。更に押すとその点を支点にして切刃ブロックは回転し、接触する支点を順次挿入子の方に移し、切刃１と奥障壁面３の間に挿入子２が挿入される。この時、前障壁回転軸１７は跳ね上がる。このタイプのものは、実施例5のものよりも切刃１を奥障壁面で深く覆うことができる。半円筒を伏せたような形状を保持子５にではなく前障壁面４に付けても同様の効果が得られる。
【実施例７】
【００３３】
図９は請求項１の切断機構部が非粘着性のテープやリボンなど（以下この段落で「テープ」という）の切断具に採り入れられた実施例７である。これは奥障壁面３が切刃１の側に傾斜した曲面で、切刃１が前障壁面４と面一で、挿入子２の前縁が一定の勾配を持った形状で、かつ挿入子２と一体に形成された保持子５と前障壁面４とで被切断物を挟み込むタイプの切断機構部である。この例の切断具本体３５はテープロール３１に廻動自在に取り付けられており、その切断機構部は、切刃１、挿入子２、奥障壁面３、前障壁面４および保持子５で構成されている。挿入子２は保持子５と一体に形成され、保持子５は保持子回転軸１４を介して切断具本体３５に回転自在かつ摺動自在に結合されている。奥障壁面３、切刃１および前障壁面４は切断具本体３５と一体に形成されている。実施例６は保持子５を半円筒状としたが、本実施例では保持子５の面を折って二つの平面としたものである。保持子５の面の折れ目が支点１５となって実施例６と同様の働きをする。また、実施例６では切刃ブロックの方を回転させたが、本例では保持子５の方を回転させている。保持子５の面ではなく、前障壁面４の方を折って支点を作っても同様の効果が得られる。
【実施例８】
【００３４】
図１０は請求項1の切断機構部が非粘着性のテープやリボンなど（以下この段落で「テープ」と総称する）の切断具に採り入れられた実施例８である。これは奥障壁面３が切刃１の側に傾斜した平面で、切刃１の刃先が前障壁面４と面一で、挿入子２の前縁が一定の勾配を持った形状で、かつ挿入子２と一体に形成された保持子５と前障壁面４とで被切断物を挟み込むタイプの切断機構部である。この例の切断具本体３５はテープロール・ホルダーを兼ねており、その切断機構部は、切刃１、挿入子２、奥障壁面３、前障壁面４および保持子５で構成されている。挿入子２は保持子５と一体に形成され、保持子５は保持子回転軸１４を介して切断具本体３５に回転自在かつ摺動自在に結合されている。切刃１、奥障壁面３および前障壁面４は切断具本体と一体に形成されている。これは実施例７と同様、保持子５の面を折って支点１５を形成している。切断の手順は、テープを適当な長さに繰り出した後、保持子のハンドル部７を押し下げて保持子の内側の面と前障壁面４とでテープを保持し、更に保持子ハンドル部７を押し下げると、保持子５は支点１５を軸に回転して挿入子２が切刃１と奥障壁面３との間に挿入され、切断が完了する。
【実施例９】
【００３５】
図１１は請求項１の切断機構部が非粘着性のテープやリボンなど（以下この段落で「テープ」と総称する）の切断具に採り入れられた実施例９である。これは奥障壁面３が切刃１の側に傾斜した平面で、切刃１の刃先が前障壁面４と面一で、挿入子の前縁が一定の勾配を持った形状で、挿入子２と保持子５が摺動自在に結合され、かつ保持子５と前障壁面４とで被切断物を挟み込むタイプの切断機構部である。この例の切断具本体３５はテープロール３１の円周上に廻動自在に取り付けられており、その切断機構部は、切刃１、挿入子２、奥障壁面３、前障壁面４および保持子５で構成されている。挿入子２は保持子５と摺動自在に結合され、保持子５は保持子回転軸１４を介して切断具本体３５と結合されている。奥障壁面３、切刃１および前障壁面４は切断具本体３５と一体に形成されている。挿入子２の摺動部と保持子回転軸１４には発条（図示せず）があり、挿入子２摺動部の発条の方を強く設定しておく。必要な長さのテープを繰り出した後、挿入子の頭部２０を押さえると、保持子回転軸１４が回転し、保持子５が前障壁面４に当たりテープを保持する。挿入子の頭部２０を更に押し続けると挿入子２がテープを切刃１に押し当てて切断が完了する。
【実施例１０】
【００３６】
図１２は請求項１の切断機構部が非粘着性のテープやリボンなど（以下この段落で「テープ」と総称する）の切断具に採り入れられた実施例１０である。これは奥障壁面３が切刃１の側に傾斜した平面で、切刃１の刃先が前障壁面４を含む平面と奥障壁面３とで形成される隅角部に突き出され、挿入子２の前縁が切刃１に対して一定の勾配を持つような形状で、挿入子２と保持子５が摺動自在に結合され、かつ保持子５と前障壁面４とで被切断物を挟み込むタイプの切断機構部である。この例の切断具本体３５はテープロール３１の円周上に廻動自在に取り付けられており、その切断機構部は切刃１、挿入子２、奥障壁面３、前障壁面４および保持子５で構成されている。本実施例と実施例９の違いは、挿入子２の摺動角度だけである。本実施例は実施例9よりも挿入子２の摺動角度が伏せられており、その分奥障壁面３で切刃１を深く覆うことができて安全性が高まっている。
【実施例１１】
【００３７】
図１３は請求項１の切断機構部が非粘着性のテープやリボンなど（以下この段落で「テープ」と総称する）の切断具に取り入れられた実施例１１である。これは奥障壁面３が切刃１と平行な平面で、切刃１の刃先が前障壁面４を含む平面と奥障壁面３とで形成される隅角部に突き出され、挿入子２と保持子５が回転自在に結合され、かつ保持子５と前障壁面４とで被切断物を挟み込むタイプの切断機構部である。この例の切断具本体３５はテープロール３１の円周上に廻動自在に取り付けられており、その切断機構部は、切刃１、挿入子２、奥障壁面３、前障壁面４および保持子５で構成されている。直な棒状の挿入子２はその一端を回転軸にして、保持子５と切刃１に平行な面で回転自在に結合され、保持子５は保持子回転軸１４を介して切断具本体３５と回転自在に結合されている。切刃１、奥障壁面３および前障壁面４は切断具本体３５と一体に形成されている。挿入子２は直な棒状であるが、その一端を軸に切刃１に平行な面で回転させる挿入子回転軸１６が切刃１よりも低い位置に設けられているので、挿入子２は切刃１の一端で急勾配で交わり、その後他端に至るまで勾配を緩めながら交わることとなる。したがって、挿入子の前縁に勾配を持たせたのと同じ効果が得られる。
【実施例１２】
【００３８】
図１４は請求項１の切断機構部が薄い柔軟な紙や布、フィルムあるいは粘着テープなどの切断具に採り入れられた実施例１２である。これは奥障壁面３が切刃１の側に傾斜した平面で、切刃１の刃先が前障壁面４を含む平面と奥障壁面３とで形成する隅角部に突き出され、挿入子２の前縁が一定の勾配を持つ形状で、かつ保持子５と挿入子２が一体に形成されたタイプの切断機構である。この例の切断具本体３５はテープロール３１の円周上に廻動自在に取り付けられており、その切断機構部は、切刃１、奥障壁面３、前障壁面４および前障壁面アーム部１１からなる切刃ブロック６、挿入子２および保持子５で構成されている。切刃ブロック６は前障壁回転軸１７を介して切断具本体３５に回転自在に結合され、挿入子２と保持子５は切断具本体と一体に形成されている。この実施例の切断機構部での切断操作は、非粘着性の被切断物の場合は、被切断物必要長さ繰り出した後、保持子５と挿入子２上に載せた状態で、切刃ブロックを挿入子２側に押し当てる。被切断物は保持子５と前障壁面４で挟まれた部分だけで保持され、他の部分はフリーな状態であり被切断物は切刃１の先端を通り、切刃１と挿入子２の間を通り、挿入子２の前縁で折り返し、挿入子２と奥障壁面３の間を通って外に出ている。被切断物の外に出ている端を引張ると被切断物は挿入子２の前縁の形状に沿って曲げられ切刃の一点で接触し、そこに応力が集中し切断の起点が生じ被切断物が引き裂かれて切断される。被切断物が粘着テープの場合は、粘着テープを必要長さだけ繰り出した後、図の円内に示すように保持子５と挿入子２とに橋掛けるように粘着させて、切刃ブロックを挿入子２に押し当てていく。まず挿入子２の一番高い部分に粘着した粘着テープの一点に切刃１が当たり切断の起点が生じる。更に切刃ブロックを押し当てていくに従って亀裂は他端まで進行し、切断が完了する。
【実施例１３】
【００３９】
図１５は請求項２の切断機構部が切断具に採り入れられた実施例１３である。これは奥障壁面３が切刃１の側に傾斜した平面で、図から判り難いが前障壁面４を含む平面と奥障壁面３とで形成する隅角部に突き出された切刃１の刃先の部分が一定の勾配を持った形状であるタイプの切断機構部である。この例の切断具本体３５はテープロール３１の円周上に廻動自在に取り付けられており、その切断機構部は切刃１、奥障壁面３、前障壁面４および前障壁面アーム部１１からなる切刃ブロック６、挿入子２および保持子５で構成されている。切刃ブロック６は前障壁回転軸１７を介して切断具本体３５に回転自在に結合されている。挿入子２と保持子５は切刃１が挿入できる間隔をあけて切断具本体３５に一体に形成されている。この実施例の切断機構部を有する切断具の切断操作は、非粘着性の被切断物の場合は、必要長さ繰り出した被切断物を保持子５と挿入子２上に載せた状態で、切刃ブロック６を挿入子２側に押し当てる。被切断物は保持子５と前障壁面４で挟まれた部分だけで保持され、他の部分はフリーな状態であり被切断物は切刃１の先端を通り、切刃１と挿入子２の間を通り、挿入子２の前縁で折り返し、挿入子２と奥障壁面３の間を通って外に出ている。被切断物の外に出ている端を引張ると切刃１は勾配を持っているので被切断物は勾配の一番高い側の切刃の一点で接触し、そこに応力が集中し亀裂が生じる。このようにして被切断物を引張ると亀裂が他端まで伝播し切断される。被切断物が粘着テープの場合は、粘着テープを必要長さだけ繰り出した後、保持子５と保持子５に面一に一体形成されている挿入子２の前縁とに橋掛けるように粘着させて、切刃ブロックを挿入子２に押し当てる。切刃１は勾配を持っているので、切刃１の勾配の高い側で粘着テープの端と切刃１が一点で接触し切断の起点となる亀裂が生じる。更に切刃ブロックを押し当てていくに従って亀裂は他端まで伝播し切断が完了する。
【実施例１４】
【００４０】
図１６は請求項２の切断機構部が切断具に採り入れられた実施例14である。これは奥障壁面３が切刃１の側に傾斜した曲面で、図から判り難いが前障壁面４を含む平面と奥障壁面３とで形成する隅角部に突き出された切刃１の刃先の部分の形状が図の奥の方において急勾配でその後勾配を緩めながら手前に至る形状をしたタイプの切断機構部である。この例の切断具本体３５はテープロール３１の円周上に廻動自在に取り付けられており、その切断機構部は切刃１、奥障壁面３、前障壁面４および前障壁アーム部１１からなる切刃ブロック６、挿入子２および保持子５で構成されている。切刃ブロック６は切刃ブロック回転軸１２を介して前障壁面アーム部１１に結合され、前障壁面アーム部１１は前障壁回転軸１７を介して切断具本体３５と回転自在に結合されている。本例は、非粘着性の被切断物であっても保持子５と前障壁面アーム部１１とで被切断物を保持できるので非粘着性の被切断物にも適している。また、挿入子２の前縁と保持子５が面一に一体に形成されているので粘着テープの切断にも適しており、粘着性・非粘着性いずれの被切断物にも適した切断機構部となっている。
【実施例１５】
【００４１】
図１７は請求項２に係わる切断機構部が粘着テープの切断具に採り入れられた実施例15である。これは奥障壁面３が切刃１の側に傾斜した平面で、図から判り難いが前障壁面４を含む平面と奥障壁面３とで形成する隅角部に突き出された切刃１の刃先の部分が一定の勾配を持った形状をしたタイプの切断機構部である。この例の切断具本体３５はテープロール・ホルダーも兼ねており、その切断機構部は切刃１、奥障壁面３、前障壁面４および前障壁面アーム部１１からなる切刃ブロック１１、挿入子２、および保持子５で構成されている。切刃ブロック６は前障壁回転軸１７を介して回転自在に切断具本体３５に結合され、挿入子２の前縁と保持子５の面が面一に形成され保持子のアーム部８を通じて同じく前障壁回転軸１７を介して回転自在に切断具本体に結合されている。採り入れられている切断具本体３５が異なっても、切断機構部としては図１５の実施例１３と同様である。
【実施例１６】
【００４２】
図１８は請求項2に係わる切断機構部が粘着テープの切断具に採り入れられた実施例１６である。これは奥障壁面３が切刃１の側に傾斜した平面で、前障壁面４と奥障壁面３とが形成する隅角部に突き出した切刃１の刃先の部分が一定の勾配を持った形状をしたタイプの切断機構部である。この例の切断具本体３５はテープロール・ホルダーも兼ねており、その切断機構部は切刃１、挿入子２、奥障壁面３、前障壁面４および保持子５で構成されている。奥障壁面３、切刃１および前障壁面４は切断具本体３５と一体に形成されている。挿入子２と保持子５とは切刃１が挿入できる間隔をあけて一体に形成され、保持子５は保持子回転軸１４を介して保持子のハンドル部７とともに切断具本体３５に結合されている。また、挿入子２の前縁と保持子５とは面一に形成されている。
【産業上の利用可能性】
【００４３】
実施例は粘着テープカッターへの適用について例示したが、本発明の切断具は前障壁４とテープ留１２で被切断物を挟んで確実に保持することができるので、粘着性のない薄物の紙・布その他アルミホイールやラップ類のカッターにも応用できるものである。
【図面の簡単な説明】
【００４４】
【図１】請求項１に記載の切断機構部の基本的な要素を示す代表図であり、機能説明図を兼ねている。
【図２】請求項２に記載の切断機構部が切断具に組み込まれた代表図であり、機能説明図を兼ねている。
【図３】請求項１に関わる切断機構を採用した切断具の実施例１である。
【図４】請求項１に関わる切断機構を採用した切断具の実施例２である。
【図５】請求項１に関わる切断機構を採用した切断具の実施例３である。
【図６】請求項１に関わる切断機構を採用した切断具の実施例４である。
【図７】請求項１に関わる切断機構を採用した切断具の実施例５である。
【図８】請求項１に関わる切断機構を採用した切断具の実施例６である。
【図９】請求項１に関わる切断機構を採用した切断具の実施例７である。
【図１０】請求項１に関わる切断機構を採用した切断具の実施例８である。
【図１１】請求項１に関わる切断機構を採用した切断具の実施例９である。
【図１２】請求項１に関わる切断機構を採用した切断具の実施例１０である。
【図１３】請求項１に関わる切断機構を採用した切断具の実施例１１である。
【図１４】請求項１に関わる切断機構を採用した切断具の実施例１２である。
【図１５】請求項２に関わる切断機構を採用した切断具の実施例１３である。
【図１６】請求項２に関わる切断機構を採用した切断具の実施例１４である。
【図１７】請求項２に関わる切断機構を採用した切断具の実施例１５である。
【図１８】請求項２に関わる切断機構を採用した切断具の実施例１６である。
【図１９】特許文献における「押し切り型」切断機構の例の説明である。
【図２０】特許文献における「まな板・包丁型」切断機構の例の説明である。
【符号の説明】
【００４５】
１    切刃
２    挿入子
３    奥障壁面
４    前障壁面
５    保持子
６    切刃ブロック
７    保持子（保持子のハンドル部）
８    保持子（保持子のアーム部）
１１    前障壁面（前障壁面アーム部）
１２    切刃ブロック回転軸
１４    保持子回転軸
１５    支点
１６    挿入子回転軸
１７    前障壁回転軸
１８    前障壁側保持子
１９    挿入子（挿入子のアーム部）
２０    挿入子（挿入子の頭部）
２３    アームストッパー
３０    テープ
３１    テープロール
３２    指穴
３３    テープやリボンなどの取り入れ口
３５    切断具本体
【図１】
2008238345.tif 000003
【図２】
2008238345.tif 000004
【図３】
2008238345.tif 000005
【図４】
2008238345.tif 000006
【図５】
2008238345.tif 000007
【図６】
2008238345.tif 000008
【図９】
2008238345.tif 000009
【図１０】
2008238345.tif 000010
【図１１】
2008238345.tif 000011
【図１２】
2008238345.tif 000012
【図１３】
2008238345.tif 000013
【図１４】
2008238345.tif 000014
【図１５】
2008238345.tif 000015
【図１６】
2008238345.tif 000016
【図１７】
2008238345.tif 000017
【図１８】
2008238345.tif 000018
【図１９】
2008238345.tif 000019
【図２０】
2008238345.tif 000020
【図７】
2008238345.tif 000021
【図８】
2008238345.tif 000022